(57)【要約】【課題】簡易に生産が可能な展開部材収納ハウジングを提供する。【解決手段】ハウジング本体と、前記ハウジング本体を覆う蓋部材と、を備え、  前記ハウジング本体は、上部が開口されて展開部材が収容される展開部材収容部を有し、  前記蓋部材は、薄膜体であり、  前記展開部材収容部の開口縁部と前記蓋部材とが接触する部分に接合部が形成されていることを特徴とする。【選択図】図１
2019178935.tif 000002
【特許請求の範囲】
【請求項１】
ハウジング本体と、前記ハウジング本体を覆う蓋部材と、を備え、
前記ハウジング本体は、上部が開口されて展開部材が収容される展開部材収容部を有し、
前記蓋部材は、薄膜体であり、
前記展開部材収容部の開口縁部と前記蓋部材とが接触する部分に接合部が形成されていることを特徴とする、展開部材収納ハウジング。
【請求項２】
ハウジング本体と、前記ハウジング本体を覆う蓋部材と、を備え、
前記ハウジング本体は、上部が開口されて展開部材が収容される複数の展開部材収容部を有し、
前記複数の展開部材収容部は、前記開口縁部を介して連結され
前記蓋部材は、薄膜体であり、
前記展開部材収容部の開口縁部と前記蓋部材とが接触する部分に接合部が形成されていることを特徴とする、展開部材収納ハウジング。
【請求項３】
前記ハウジング本体の前記開口縁部及び前記開口縁部に接触する前記蓋部材には、前記複数の展開部材収容部を個別に切り離し可能な切断部が形成されていることを特徴とする、請求項２に記載の展開部材収納ハウジング。
【請求項４】
前記開口縁部は、前記展開部材収容部の外方に向けて延設されてなることを特徴とする、請求項１〜３の何れかに記載の展開部材収納ハウジング。
【請求項５】
前記ハウジング本体及び前記蓋部材の少なくとも一方は、合成樹脂により形成されていることを特徴とする、請求項１〜４の何れかに記載の展開部材収納ハウジング。
【請求項６】
前記ハウジング本体及び前記蓋部材の少なくとも一方は、熱可塑性樹脂により形成され、
前記接合部が、熱圧着部であることを特徴とする、請求項５に記載の展開部材収納ハウジング。
【請求項７】
上部が開口されて展開部材が収容される展開部材収容部を有するハウジング本体と、前記ハウジング本体を上方から覆う薄膜体の蓋部材と、を備えた展開部材収納ハウジングの製造方法であって、
前記展開部材を前記展開部材収容部に収容し、
前記蓋部材を前記展開部材収容部の開口縁部に接触させることで前記ハウジング本体を上方から覆い、
前記蓋部材及び前記開口縁部を、加圧手段により接合することを特徴とする、展開部材収納ハウジングの製造方法。
【請求項８】
上部が開口されて展開部材が収容される複数の展開部材収容部を有するハウジング本体と、前記ハウジング本体を上方から覆う薄膜体の蓋部材と、を備えた展開部材収納ハウジングの製造方法であって、
前記展開部材を前記複数の展開部材収容部に収容し、
前記蓋部材を前記複数の展開部材収容部の開口縁部に接触させることで前記ハウジング本体を上方から覆い、
前記蓋部材及び前記開口縁部を、加圧手段により接合することを特徴とする、展開部材収納ハウジングの製造方法。
【発明の詳細な説明】
【技術分野】
【０００１】
本発明は、ドライケミストリーに用いられる展開部材のハウジングに係るものである。
【背景技術】
【０００２】
ドライケミストリーとは、乾燥状態の試薬を含ませたフィルム等に液体状の検体を添加し，反応を進行せることで、検体中の目的成分を測定する検査方式である。
【０００３】
このような検査方式の代表的なものとして、細菌やウイルス、特定のタンパク質等を検出する際に用いられる、イムノクロマトグラフィー法が挙げられる。
【０００４】
このイムノクロマトグラフィー法は、まず、セルロース薄膜等の展開部材上に、検出の目的物質（抗原）と複合体を形成し得る標識抗体、前記抗原と抗体の免疫複合体を捕捉し呈色する抗体を担持しておき、展開部材上の標識抗体が担持された部分に血液等の検体液を滴下する。そして、毛細管現象を利用して、検体液を、免疫複合体をトラップし呈色する抗体の位置まで移動させることにより、抗原抗体反応の有無を検出して、検体液中に含まれる目的物質を検出する方法である。
【０００５】
上記した抗体や試薬を担持した展開部材は、多くの場合、専用のハウジングの内部に収納された状態で用いられる。このハウジングは、通常、容器本体及び蓋部材共に射出成形により成形されるプラスチック製のものであり、検体液を展開部材に滴下する滴下窓、滴下した検体液の反応結果の判定及び検体液が評価終了箇所まで到達したことの確認を行うための開口窓を複数備えている。
【０００６】
ここで、イムノクロマトグラフィー法に代表されるドライケミストリーに関する技術は日々進歩しており、新しい試薬や試験材料が、次々と提案されている現状から、展開部材及びハウジングについても、その構造や形式について柔軟に変更し対応していく必要がある。
【０００７】
この点、従来のハウジングは、その密閉性や強度等を考慮し、金型の構造が複雑となり、それに応じて金型の価格も高価になる傾向にあったため、構造や形式の頻繁な変更に対応することが困難であった。
【０００８】
このような問題点を解決するために、特許文献１には、容器本体を複合シート、蓋部材を透明シートとして真空成型することにより構成されたハウジング及びその製造方法が記載されている。
【０００９】
上記のように構成することで、金型の価格を低減し、ハウジングの構造や形式の頻繁な変更に、容易に素早く対応可能である。
【先行技術文献】
【特許文献】
【００１０】
【特許文献１】特開２０１３−４０９１１号公報
【発明の概要】
【発明が解決しようとする課題】
【００１１】
しかしながら、特許文献１に記載のハウジングは、容器本体と蓋部材との嵌合手段として、容器本体に凹部を、蓋部材に凸部を設ける構成であるため、容器本体及び蓋部材の構造が、尚も複雑である。特に大量生産する場合において、容器本体と蓋部材との厳密な位置合わせが必要となることから、製造時の手間が増大することとなる。
【００１２】
本発明は上記のような実状に鑑みてなされたものであり、簡易に生産が可能な展開部材収納ハウジングを提供することを課題とする。
【課題を解決するための手段】
【００１３】
上記課題を解決するために、本発明は、
ハウジング本体と、前記ハウジング本体を覆う蓋部材と、を備え、
前記ハウジング本体は、上部が開口されて展開部材が収容される展開部材収容部を有し、
前記蓋部材は、薄膜体であり、
前記展開部材収容部の開口縁部と前記蓋部材とが接触する部分に接合部が形成されていることを特徴とする。
【００１４】
本発明によれば、開口縁部と薄膜体の蓋部材とが接触する部分に接合部が形成されていることで、ハウジング本体及び蓋部材に、それぞれを嵌合させるための特別な加工を施す必要が無く、展開部材収納ハウジングを簡易に生産することが可能となる。
【００１５】
また、本発明は、
ハウジング本体と、前記ハウジング本体を覆う蓋部材と、を備え、
前記ハウジング本体は、上部が開口されて展開部材が収容される複数の展開部材収容部を有し、
前記複数の展開部材収容部は、前記開口縁部を介して連結され
前記蓋部材は、薄膜体であり、
前記展開部材収容部の開口縁部と前記蓋部材とが接触する部分に接合部が形成されていることを特徴とする。
【００１６】
本発明によれば、開口縁部と薄膜体の蓋部材とが接触する部分に接合部が形成されていることで、ハウジング本体及び蓋部材に、それぞれを嵌合させるための特別な加工を施す必要が無く、複数の展開部材収容部を有した展開部材収納ハウジングを簡易に生産することが可能となる。
【００１７】
本発明の好ましい形態では、前記ハウジング本体の前記開口縁部及び前記開口縁部に接触する前記蓋部材には、前記複数の展開部材収容部を個別に切り離し可能な切断部が形成されていることを特徴とする。
【００１８】
このような構成とすることで、別途ハサミ等の切除具を用いることなく、展開部材収容部個別に切り離すことが可能となり、使用時の利便性が向上する。
【００１９】
前記開口縁部は、前記展開部材収容部の外方に向けて延設されてなることを特徴とする。
【００２０】
このような構成とすることで、接合部の面積が増大し、ハウジング本体及び蓋部材の連結の容易性が向上する。
【００２１】
本発明の好ましい形態では、前記ハウジング本体及び前記蓋部材の少なくとも一方は、合成樹脂により形成されていることを特徴とする。
【００２２】
このような構成とすることで、展開部材収納ハウジング全体を軽量化することができ、製造性及び使用時の利便性が向上する。
【００２３】
本発明の好ましい形態では、前記ハウジング本体及び前記蓋部材の少なくとも一方は、熱可塑性樹脂により形成され、前記接合部が、熱圧着部であることを特徴とする。
【００２４】
このような構成とすることで、ハウジング本体及び蓋部材を簡易に、かつ強固に連結させることが可能となる。
【００２５】
本発明に係る展開部材収納ハウジングの製造方法は、
上部が開口されて展開部材が収容される展開部材収容部を有するハウジング本体と、前記ハウジング本体を上方から覆う薄膜体の蓋部材と、を備えた展開部材収納ハウジングの製造方法であって、
前記展開部材を前記展開部材収容部に収容し、
前記蓋部材を前記展開部材収容部の開口縁部に接触させることで前記ハウジング本体を上方から覆い、
前記蓋部材及び前記開口縁部を、加圧手段により接合することを特徴とする。
【００２６】
また、本発明に係る展開部材収納ハウジングの製造方法は、
上部が開口されて展開部材が収容される複数の展開部材収容部を有するハウジング本体と、前記ハウジング本体を上方から覆う薄膜体の蓋部材と、を備えた展開部材収納ハウジングの製造方法であって、
前記展開部材を前記複数の展開部材収容部に収容し、
前記蓋部材を前記複数の展開部材収容部の開口縁部に接触させることで前記ハウジング本体を上方から覆い、
前記蓋部材及び前記開口縁部を、加圧手段により接合することを特徴とする。
【発明の効果】
【００２７】
本発明によれば、簡易に生産が可能な展開部材収納ハウジングを提供することができる。
【図面の簡単な説明】
【００２８】
【図１】本発明の実施形態１に係る展開部材収納ハウジングの製造方法を説明する概略斜視図である。
【図２】本発明の実施形態１に係る展開部材収納ハウジングを示すものであって、（ａ）概略斜視図、（ｂ）Ａ−Ａ´線断面図である。
【図３】本発明の実施形態２に係る展開部材収納ハウジングの製造方法を説明する概略斜視図である。
【図４】本発明の実施形態２に係る展開部材収納ハウジングを示すものであって、（ａ）概略斜視図、（ｂ）Ｂ−Ｂ´線断面図である。
【図５】本発明の実施形態２に係る展開部材収納ハウジングを示すものであって、（ａ）製造方法を説明する概略斜視図、（ｂ）使用例の説明図である。
【図６】本発明の実施形態２に係る展開部材収納ハウジングの変更例を示す概略斜視図である。
【発明を実施するための形態】
【００２９】
＜実施形態１＞
以下、図１及び図２を用いて、本発明の実施形態に係る展開部材収納ハウジングについて説明する。なお、以下に示す実施形態は本発明の一例であり、本発明を以下の実施形態に限定するものではない。
本実施形態では、一の展開部材収納ハウジング（以下展開部材収納ハウジング単体と称する）の場合を示す。
また、これらの図において、符号１は、本実施形態に係る展開部材収納ハウジング単体を示す。
【００３０】
図１に示すように、展開部材収納ハウジング単体１は、ハウジング本体１１と、ハウジング本体１１を覆う蓋部材１２と、ハウジング本体１１の内部に収容される展開部材１３と、を備えている。
【００３１】
ハウジング本体１１は、略長方形状であり、上部が開口されて展開部材が収容される展開部材収容部１１ａを有している。また、展開部材収容部１１ａの開口縁部は、展開部材収容部１１ａの外方に向けて、略水平方向に延設されることにより形成されている。なお、以下このように形成された開口縁部をフランジ部１１ｂと称する。
【００３２】
蓋部材１２は、凹凸を有しない、一枚の平坦な略長方形状の薄膜体である。
なお、蓋部材１２には、一又は二以上の貫通孔が形成されていても良い
【００３３】
展開部材１３は、例えば、ニトロセルロースメンブレンやファイバーシート等の薄膜体が好適に用いられる。展開部材１３には、標識抗体や、免疫複合体を捕捉し可視化するための抗体等、目的物質の検出に必要な試薬が適宜担持されている。
【００３４】
ハウジング本体１１及び蓋部材１２の少なくとも一方は、ポリプロピレン、ポリ塩化ビニル、ポリエチレンテレフタレート等の熱可塑性樹脂により形成される。
【００３５】
なお、ハウジング本体１１及び蓋部材１２は、異なる素材により形成されても良く、蓋部材１２は、熱可塑性樹脂の他、アルミ箔等の薄膜体により形成されても良い。また、ハウジング本体１１及び蓋部材１２の少なくとも一方は、このような熱可塑性樹脂やアルミ箔等を複数組み合わせた複合素材により形成されても良い。
【００３６】
また、ハウジング本体１１及び蓋部材１２は、判定用開口窓ｗ２を介した試験結果の視認性を向上させるために、着色されていることが好ましい。特に、白色やピンク、クリーム色等の淡色が好適に用いられる。
【００３７】
また、ハウジング本体１１の厚みは、０．１ｍｍ〜２．０ｍｍの間で設計することが好ましい。特に、０．２ｍｍ〜０．３ｍｍの間で設計することが、さらに好ましい。
【００３８】
また、蓋部材１２の厚みは、１０μｍ〜３００μｍの間で設計することが好ましい。特に、３０μｍ〜１００μｍの間で設計することが、さらに好ましい。
【００３９】
展開部材収納ハウジング単体１を製造する際には、まず、成型されたハウジング本体１１の展開部材収容部１１ａに、展開部材１３を収容する（矢印ａ）。
【００４０】
次に、蓋部材１２を、ハウジング本体１１の上方から被せることで、蓋部材１２をハウジング本体１１のフランジ部１１ｂに接触させる（矢印ｂ）。
【００４１】
最後に、蓋部材１２に熱せられた平板（図示せず）を載置し、下方に向けて加圧した状態で所定の時間静置させておく。これにより、接触しているフランジ部１１ｂ及び蓋部材１２が熱により塑性変形し一体化することで、熱圧着部Ｈ（図２（ｂ）参照）が形成され、ハウジング本体１１及び蓋部材１２が強固に接着される。
【００４２】
図２（ａ）に示すように、展開部材収容部１１ａには、検体液Ｘが滴下される略楕円形状の検体液滴下用開口窓ｗ１、検体液Ｘ中の被験物質の検出結果を目視判定するための略長方形状の判定用開口窓ｗ２、検体液Ｘが毛細管現象により評価終了箇所まで移動到達したか否か及び展開部材が着色され試験が成立したか否かを確認する略円形状の確認用開口窓ｗ３が形成されている。
なお、開口窓の数はこれに限定されず、例えば、検体液滴下用開口窓ｗ１及び判定用開口窓ｗ２のみを備え、判定用開口窓ｗ２が、確認用開口窓ｗ３の役割も兼ねる構成としても良い。
【００４３】
また、展開部材収納ハウジング単体１を使用する際には、まず、検体液滴下用開口窓ｗ１の上方から検体液Ｘを滴下する。
次に、検体液Ｘが評価終了箇所まで移動到達したことを確認用開口窓ｗ３により確認する。
最後に、所定時間経過後に、検体液Ｘ中の被験物質の検出結果を、判定用開口窓ｗ２より判定する。
【００４４】
本実施形態によれば、ハウジング本体１１及び蓋部材１２が、熱可塑性樹脂により形成され、平坦なフランジ部１１ｂと平坦な薄膜体の蓋部材１２とが接触する部分に熱圧着部Ｈが形成されていることで、ハウジング本体１１及び蓋部材１２に、それぞれを嵌合させるための特別な加工を施す必要が無く、展開部材収納ハウジング単体１を簡易に生産することが可能となる。
【００４５】
＜実施形態２＞
以下、図３〜図６を用いて、本発明の実施形態に係る展開部材収納ハウジングについて説明する。本実施形態では、複数連結された展開部材収納ハウジング（以下展開部材収納ハウジング連結体と称する）の場合を示す。
また、これらの図において、符号２は、本実施形態に係る展開部材収納ハウジング連結体２を示す。
なお、同実施形態において、先の実施形態と基本的に同一の構成要素については、同一符号を付してその説明を簡略化する。
【００４６】
図３に示すように、展開部材収納ハウジング連結体２は、１０個の展開部材収容部１１ａを有するハウジング本体連結体２１と、ハウジング本体連結体２１を上方から覆う蓋部材２２と、各ハウジング本体１１の内部に収容される１０枚の展開部材１３と、を備えている。
【００４７】
ハウジング本体連結体２１は、各展開部材収容部１１ａが、各フランジ部１１ｂを介して、展開部材収容部１１ａの短辺方向に連結されることにより形成されている。
また、各フランジ部１１ｂは、各展開部材収容部１１ａを連結することで、フランジ部連結体２１ａを形成している。
【００４８】
蓋部材２２は、凹凸を有しない、一枚の平坦な略長方形状の薄膜体である。
なお、蓋部材２２には、一又は二以上の貫通孔が形成されていても良い。
【００４９】
ハウジング本体連結体２１及び蓋部材２２の少なくとも一方は、ポリプロピレン、ポリ塩化ビニル、ポリエチレンテレフタレート等の熱可塑性樹脂により形成される。
【００５０】
なお、ハウジング本体連結体２１及び蓋部材２２に、異なる素材により形成されても良く、蓋部材１２は、熱可塑性樹脂の他、アルミ箔等の薄膜体により形成されても良い。また、ハウジング本体１１及び蓋部材１２の少なくとも一方は、このような熱可塑性樹脂やアルミ箔等を複数組み合わせた複合素材により形成されても良い。
【００５１】
また、ハウジング本体連結体２１及び蓋部材２２は、判定用開口窓ｗ２を介した試験結果の視認性を向上させるために、着色されていることが好ましい。
【００５２】
展開部材収納ハウジング連結体２を製造する際には、まず、成型されたハウジング本体連結体２１の各展開部材収容部１１ａに、展開部材１３を収容する（矢印ｃ）。
【００５３】
次に、蓋部材２２を、ハウジング本体連結体２１の上方から被せることで、蓋部材２２をハウジング本体連結体２１のフランジ部連結体２１ａに接触させる（矢印ｄ）。
【００５４】
最後に、蓋部材２２に熱せられた平板（図示せず）を載置し、下方に向けて加圧した状態で所定の時間静置させておく。これにより、接触しているフランジ部連結体２１ａ及び蓋部材２２が、熱により塑性変形し一体化することで熱圧着部Ｈ（図４（ｂ）参照）が形成され、ハウジング本体連結体２１及び蓋部材２２が強固に連結される。
【００５５】
なお、本実施形態において、展開部材収容部１１ａの連結個数は１０個であるが、個数はこれに限定されず、何個連結されていても良いし、各展開部材収容部１１ａが、各フランジ部１１ｂを介して、展開部材収容部１１ａの長辺方向に連結されていても良い。また、展開部材収容部１１ａの連結個数に合わせて、展開部材１３の枚数も適宜変更される。
【００５６】
図４（ａ）に示すように、各展開部材収容部１１ａには、検体液Ｘが滴下される略楕円形状の検体液滴下用開口窓ｗ１、検体液Ｘ中の被験物質の検出結果を目視判定するための略長方形状の判定用開口窓ｗ２、検体液Ｘが毛細管現象により評価終了箇所まで移動到達したか否かを確認する略円形状の確認用開口窓ｗ３が形成されている。
なお、開口窓の数はこれに限定されず、例えば、検体液滴下用開口窓ｗ１及び判定用開口窓ｗ２のみを備え、判定用開口窓ｗ２が、確認用開口窓ｗ３の役割も兼ねる構成としても良い。
【００５７】
図５（ａ）に示すように、図３に示した工程を経て製造された展開部材収納ハウジング連結体２に、その上方から、蓋部材２２の長辺方向に等間隔に複数のブレードＥ１が配置された切断具Ｅを、鉛直下方に向けて前進させる（矢印ｅ）。この工程により、展開部材収納ハウジング連結体２の各展開部材収容部１１ａが、その周縁に沿って個別に切断され、単体の展開部材収納ハウジング２´が製造できる。
なお、ブレードＥ１は、切断具Ｅを前進させることで、各展開部材収容部１１ａの周縁に沿って型抜きが行われるように、略長方形の角筒状に形成されている。
【００５８】
図５（ｂ）に示すように、切断された単体の展開部材収納ハウジング２´を使用する際には、実施形態１と同様に、検体液滴下用開口窓ｗ１の上方から検体液Ｘを滴下し、検体液Ｘが評価終了箇所まで移動到達したことを確認用開口窓ｗ３により確認する。
最後に、所定時間経過後に、検体液Ｘ中の被験物質の検出結果を、判定用開口窓ｗ２より判定する。
【００５９】
なお、図６の点線で示すように、展開部材収納ハウジング連結体２は、各展開部材収容部１１ａを連結しているフランジ部連結体２１ａに、各展開部材収容部１１ａの長辺方向に沿って各展開部材収容部１１ａを個別に切り離し可能な連結体切断部２１ｂを、予め設ける構成としても良い。
この場合、各展開部材収容部１１ａの切断は、別途ハサミ等の切除具を用いることなく手動で切り離すことができる。
【００６０】
本実施形態によれば、ハウジング本体連結体２１及び蓋部材２２が、熱可塑性樹脂により形成され、平坦なフランジ部連結体２１ａと平坦な薄膜体の蓋部材２２とが接触する部分に熱圧着部Ｈが形成されていることで、ハウジング本体連結体２１及び蓋部材２２に、それぞれを嵌合させるための特別な加工を施す必要が無く、展開部材収納ハウジング連結体２を簡易に生産することが可能となる。
即ち、展開部材収納ハウジング単体１を簡易に大量生産することが可能となる。
【００６１】
なお、実施形態１及び実施形態２において示した各構成部材の諸形状や寸法等は一例であって、設計要求等に基づき種々変更可能である。
【００６２】
例えば、開口縁部は、必ずしも展開部材収容部１１ａの外方に向けて、略水平方向に延設されることにより、フランジ部１１ｂとして形成される必要はなく、例えば、ハウジング本体１１が断面コ字状となるように形成しても良い。
【００６３】
また、実施形態１及び実施形態２において、接合部が、熱圧着部である例を示したが、接着剤を介した接着や、両面テープ等の粘着剤による接着により、蓋部材とフランジ部とを接合しても良い。
【００６４】
また、実施形態１及び実施形態２において示した展開部材収納ハウジングによって検査することができる検体液Ｘとしては、液体に溶解又は分散させることができるものであれば特に制限されず、無機物、無機化合物、有機化合物を含む混合物や水溶液などが挙げられる。
具体的な検体としては、血液や組織、尿、唾液、糞便といった生体検体、食品や生物試料、粉塵、土壌、環境水等が挙げられる。
特に、簡便・迅速でなおかつ高精度な検査が求められる生体検体の検査において、実施形態１及び実施形態２において示した展開部材収納ハウジングは有用であるが、生体検体中の細菌、ウイルス、タンパク質、ペプチド、アミノ酸、遺伝子、糖、脂質、電解質（イオン）、ｐＨ等の様々な検査に対して用いることができる。
【符号の説明】
【００６５】
１      展開部材収納ハウジング単体
１１    ハウジング本体
１１ａ  展開部材収容部
１１ｂ  フランジ部（開口縁部）
１２    蓋部材
１３    展開部材
２      展開部材収納ハウジング連結体
２´    展開部材収納ハウジング連結体より切り出された単体の展開部材収納ハウジング
２１    ハウジング本体連結体
２１ａ  フランジ部連結体
２１ｂ  連結体切断部
２２    蓋部材
ｗ１    検体液滴下用開口窓
ｗ２    判定用開口窓
ｗ３    確認用開口窓
Ｈ      熱圧着部
Ｅ      切断具
Ｅ１    ブレード
Ｘ      検体液
【図１】
2019178935.tif 000003
【図２】
2019178935.tif 000004
【図３】
2019178935.tif 000005
【図４】
2019178935.tif 000006
【図５】
2019178935.tif 000007
【図６】
2019178935.tif 000008
【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
ハウジング本体と、前記ハウジング本体を覆う蓋部材と、を備え、
前記ハウジング本体は、上部が開口されて展開部材が収容される展開部材収容部を有し、
前記蓋部材は、薄膜体であり、
前記展開部材収容部の開口縁部と前記蓋部材とが接触する部分に接合部が形成され、
前記展開部材収容部の下部には、開口窓が設けられ、
前記蓋部材の一表面は、前記展開部材収容部に収容された前記展開部材の載置面を形成していることを特徴とする、展開部材収納ハウジング。
【請求項２】
ハウジング本体と、前記ハウジング本体を覆う蓋部材と、を備え、
前記ハウジング本体は、上部が開口されて展開部材が収容される複数の展開部材収容部を有し、
前記複数の展開部材収容部は、前記開口縁部を介して連結され
前記蓋部材は、薄膜体であり、
前記展開部材収容部の開口縁部と前記蓋部材とが接触する部分に接合部が形成され、
前記展開部材収容部の下部には、開口窓が設けられ、
前記蓋部材の一表面は、前記展開部材収容部に収容された前記展開部材の載置面を形成していることを特徴とする、展開部材収納ハウジング。
【請求項３】
前記ハウジング本体の前記開口縁部及び前記開口縁部に接触する前記蓋部材には、前記複数の展開部材収容部を個別に切り離し可能な切断部が形成されていることを特徴とする、請求項２に記載の展開部材収納ハウジング。
【請求項４】
前記開口縁部は、前記展開部材収容部の外方に向けて延設されてなることを特徴とする、請求項１〜３の何れかに記載の展開部材収納ハウジング。
【請求項５】
前記ハウジング本体及び前記蓋部材の少なくとも一方は、合成樹脂により形成されていることを特徴とする、請求項１〜４の何れかに記載の展開部材収納ハウジング。
【請求項６】
前記ハウジング本体及び前記蓋部材の少なくとも一方は、熱可塑性樹脂により形成され、
前記接合部が、熱圧着部であることを特徴とする、請求項５に記載の展開部材収納ハウジング。
【請求項７】
上部が開口されて展開部材が収容される展開部材収容部を有するハウジング本体と、前記ハウジング本体を上方から覆う薄膜体の蓋部材と、を備えた展開部材収納ハウジングの製造方法であって、
前記展開部材収容部の下部に開口窓を設け、
前記展開部材を前記展開部材収容部に収容し、
前記蓋部材を前記展開部材収容部の開口縁部に接触させることで前記ハウジング本体を上方から覆い、
前記蓋部材及び前記開口縁部を、加圧手段により接合し、
前記蓋部材の一表面に、前記展開部材収容部に収容された前記展開部材を載置させることを特徴とする、展開部材収納ハウジングの製造方法。
【請求項８】
上部が開口されて展開部材が収容される複数の展開部材収容部を有するハウジング本体と、前記ハウジング本体を上方から覆う薄膜体の蓋部材と、を備えた展開部材収納ハウジングの製造方法であって、
前記展開部材収容部の下部に開口窓を設け、
前記展開部材を前記複数の展開部材収容部に収容し、
前記蓋部材を前記複数の展開部材収容部の開口縁部に接触させることで前記ハウジング本体を上方から覆い、
前記蓋部材及び前記開口縁部を、加圧手段により接合し、
前記蓋部材の一表面に、前記展開部材収容部に収容された前記展開部材を載置させることを特徴とする、展開部材収納ハウジングの製造方法。